(57)【要約】  本発明は、固体支持体を含む緑化壁であって、固体支持体が、緑化壁に隣接した土壌に植え付けられかつ支持体の表面に付着された複数の生存するつる性植物対象物で覆われた表面を持ち、支持体がガラス物体から選択されることを特徴とする緑化壁に関する。また、本発明は、ガラス支持体への植物の付着を含む、実質的に垂直な壁に固定するためにつる性植物の節を促すための方法に関する。【選択図】図１
2013526838.tif 000002
【特許請求の範囲】
【請求項１】
固体支持体を含む緑化壁であって、固体支持体が、緑化壁に隣接した土壌に植え付けられかつ支持体の表面に付着された複数の生存するつる性植物対象物で覆われた表面を持ち、支持体がガラス物体から選択されることを特徴とする緑化壁。
【請求項２】
植物対象物が、系統発生分類におけるフィクス属、キズタ属、及びノブドウ属に属するつる性植物から選択されることを特徴とする請求項１に記載の緑化壁。
【請求項３】
支持体を形成する物体のガラスが、模様付きガラス、少なくとも一種の金属又は少なくとも一種の金属酸化物を含む少なくとも一つの被覆層で被覆されたガラス、及び模様を付けられ、かつ少なくとも一種の金属又は少なくとも一種の金属酸化物を含む少なくとも一つの被覆層で被覆されたガラスから選択されることを特徴とする請求項１又は２に記載の緑化壁。
【請求項４】
ガラス物体が、２°の観察の立体角でＣＩＥによってＤ６５として標準化された昼光型光源で４ｍｍのシート厚さを通って測定された視感透過率ＬＴレベルが最大６５％である平板ガラスシートであることを特徴とする請求項１〜３のいずれかに記載の緑化壁。
【請求項５】
ガラス物体が、５０度の角度を超えない角度によって垂直方向に対して傾斜された平板ガラスであることを特徴とする請求項１〜４のいずれかに記載の緑化壁。
【請求項６】
ガラス物体が、元素の周期表の第４，６，８，９、及び１４欄の一つに属する元素の少なくとも一つの酸化物から選択される金属酸化物を含む少なくとも一つの被覆層で被覆されたガラス物体であることを特徴とする請求項１〜５のいずれかに記載の緑化壁。
【請求項７】
金属酸化物が、Ｆｅ，Ｒｕ，Ｏｓ，Ｃｏ，Ｒｈ，Ｉｒ，Ｃｒ，Ｍｏ，Ｗ，Ｔｉ，Ｚｒ，Ｈｆ，Ｃ，Ｓｉ，Ｇｅ，Ｓｎ及びＰｂ酸化物の少なくとも一つから選択されることを特徴とする請求項１〜６のいずれかに記載の緑化壁。
【請求項８】
被覆の金属酸化物の被覆層が、硬い熱分解被覆層であることを特徴とする請求項１〜７のいずれかに記載の緑化壁。
【請求項９】
被覆が、金属、金属合金、又は金属酸化物の単一被覆層からなることを特徴とする請求項１〜８のいずれかに記載の緑化壁。
【請求項１０】
被覆の被覆層がＦｅ，Ｃｏ、及びＣｒ酸化物を含むことを特徴とする請求項１〜９のいずれかに記載の緑化壁。
【請求項１１】
被覆の被覆層がＴｉ酸化物を含むことを特徴とする請求項８に記載の緑化壁。
【請求項１２】
被覆が、金属酸化物の少なくとも二つの被覆層又は二つの金属被覆層からなることを特徴とする請求項１〜７のいずれかに記載の緑化壁。
【請求項１３】
被覆が二つの重ねられた被覆層からなり、第一のものがＳｉオキシカーバイドの下塗り被覆層であり、第二のものがフッ素又はアンチモンでドーブされたＳｎ酸化物の被覆層であることを特徴とする請求項１〜１２のいずれかに記載の緑化壁。
【請求項１４】
実質的に垂直な壁に固定するためにつる性植物の節を促すための方法であって、植物が、請求項１〜１３のいずれかに記載の緑化壁に従った模様付きガラス表面を有する壁のベースに隣接した土壌にそれらの根を埋めるように整列されていること、及び植物の根及び／又は葉が水及び栄養素を与えられ、光合成によって前記植物の成長を可能にするのに十分な可視光によって照明が与えられていることを特徴とする方法。
【請求項１５】
実質的に垂直な壁に固定するためにつる性植物の節を促すための方法であって、植物が、請求項１〜１３のいずれかに記載の緑化壁に従った少なくとも一つの被覆層を被覆されたガラス表面を有する壁のベースに隣接した土壌にそれらの根を埋めるように整列されていること、及び植物の根及び／又は葉が水及び栄養素を与えられ、光合成によって前記植物の成長を可能にするのに十分な可視光によって照明が与えられていることを特徴とする方法。
【発明の詳細な説明】
【技術分野】
【０００１】
本発明は、つる性植物対象物で覆われた壁に関する。
【背景技術】
【０００２】
土木工学構造物及び建造物を美化するために使用される緑化壁が知られている（ＦＲ  ２７４７２６５  Ａ１）。これらの緑化壁は、組み立てられた領域で遭遇される遮熱及び遮音の問題に対する解決策を与える。既知の緑化壁は、緑化壁上に高く設置されかつ自動散水設備を与えられた腐敗防止布に植物を植え付けることを可能にする。光合成生物の存在は、大気のＣＯ２を捕獲することに寄与する。
【０００３】
構造物のベースに植え付けられた特定の植物が巻きついてのぼり、多かれ少なかれ濃い緑化壁を形成することが比較的容易である、格子、木摺、又は単に杭の形態の軽量なせん孔された構造物もまた、長い間知られている。
【０００４】
しかしながら、これらの既知の構造物は欠点がないわけではなく、例えばＦＲ  ２７４７２６５  Ａ１による緑化壁の散水及び複雑な構造の高コスト、及びせん孔された構造物の壁の脆さは、建造物の壁全体を覆い、効果的な遮蔽を与えるためには適していない。
【発明の概要】
【発明が解決しようとする課題】
【０００５】
それゆえ、本発明は、良好な遮蔽を与えながら建造物又は土木工学構造物の表面の全てを覆うことができる、既知のシステムの欠点を持たない緑化壁を得ることを目的とする。本発明はまた、限られたコストを保ちながら同時にかなりの遮蔽効果を与えることができ、頑丈で悪天候に耐える、かかる緑化壁を提供することを目的とする。
【課題を解決するための手段】
【０００６】
その意味で、本発明は、固体支持体を含む緑化壁であって、固体支持体が、緑化壁に隣接した土壌に植え付けられかつ支持体の表面に付着された複数の生存するつる性植物対象物で覆われた表面を持ち、支持体がガラス物体から選択されることを特徴とする緑化壁に関する。
【０００７】
本発明による緑化壁のために好適な植物対象物は、つる性植物のカテゴリー、即ち支持体によりかかったり、付着したり、又は巻き付いたりすることによって昇っていくことができるいかなるタイプの植物にも属する。特にこの場合において、本発明による壁のために好適なつる性植物は、固体ガラス支持体の表面に付着することによって昇っていくことができる植物である。このカテゴリーには、茎葉植物界の生物（茎を有する高等植物）、主に系統分類における様々な目の顕花植物（被子植物）、例えばバラ目（ｒｏｓａｌｅｓ）、セリ目（ａｒａｌｉａｌｅｓ）、クロウメモドキ目（ｖｉｔａｌｅｓ）、特に、バラ目についてはクワ科、フィクス属、セリ目についてはウコギ科、キヅタ属（ｈｅｄｅｒａｅ）、クロウメモドキ目についてはブドウ科、ツタ属、ノブドウ属、及びセイシカズラ属（一般に「ノブドウ」と称される）がある。フィクス属及びキヅタ属のうち、Ｆｉｃｕｓ  ｐｕｍｉｌａ（オオイタビ）及びＨｅｄｅｒａ  ｈｅｌｉｘ（イングリッシュアイヴィ又はセイヨウキズタ）が良好な結果を与える。
【０００８】
本発明によれば、植物対象物は、壁に隣接した土壌に植え付けられる。即ち、植物対象物が土壌の上に数センチメートルより多く成長するとすぐに前記壁と接触できるようにするために前記壁に十分近い距離に植え付けられる。この距離は一般に３０ｃｍを超えず、好ましくは２０ｃｍを超えない。
【０００９】
好ましくは、支持体を形成する物体のガラスは、少なくとも一種の金属又は少なくとも一種の金属酸化物を含む少なくとも一つの被覆層で被覆されたガラス及び模様付きガラスから選択される。用語「模様付きガラス」は、サンドブラスト仕上げのガラス、鋳造ガラス、及び印刷されたガラスを意味することを意図され、その表面仕上げは、繰り返し又は無秩序なパターンを形成する凹凸を有する。少なくとも一つの被覆層で被覆されたガラスに関して、それらは単一の薄い被覆層で、又は変形として、一種以上の金属又は金属酸化物からなる、可視光透過性の薄い被覆層の積み重ねで被覆される。少なくとも一種の金属又は少なくとも一種の金属酸化物を含む少なくとも一つの被覆層で被覆された模様付きガラスは、本発明による緑化壁によるガラスの一部でもある。上述の全てのガラスはまた、それらの反対面の少なくとも一部の上に、エナメル、ペイントなどの不透明又は半透明被覆を含むことができる。
【００１０】
本発明による緑化壁のための支持体として使用されるガラス物体はいかなる形状の外部表面も持つことができる。しかしながら、一般に、平坦なガラスのシートが支持体として使用される。なぜならばそれらは壁を形成するために適切だからである。これらのシートは最も一般的には平坦であり、ときどき一つ又はさらには二つの方向にわずかに湾曲される。ガラスシートは一般に垂直に、又は垂直方向に対して５０度の角度を超えない角度で置かれる。正面又は屋根については、この角度は、直接的な太陽光線の良好な捕獲のため、５０度を超えることができ、１００度まで、好ましくは９０度未満、最も好ましくは８０度未満であることができる。
【００１１】
驚くべきことに、植物対象物の付着の現象は、ガラスの視感透過率レベルが低いときに良好であることに気が付いた。好ましくは、このレベルは、２°の観察の立体角でＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）［Ｉｎｔｅｒｎａｔｉｏｎａｌ  Ｃｏｍｉｓｓｉｏｎ  ｏｎ  Ｉｌｌｕｍｉｎａｔｉｏｎ］によってＤ６５として標準化された昼光型光源で４ｍｍのシート厚さを通って測定されたとき、６５％を超えない。特に好ましくは、上で与えられたものと同じ条件下で測定すると、この視感透過率のレベルが５５％を超えないガラスが使用される。最も好ましくは、視感透過率のレベルが４０％を超えないガラスが選択される。
【００１２】
本発明の一つの変形例によるガラス支持体を覆うことができる金属被覆層は金属又は金属合金、特に鉄、ニッケル、及びクロムベースの合金のような非酸化金属合金の被覆層であることができる。
【００１３】
本発明による緑化壁のために使用されるガラスが金属酸化物の少なくとも一つの被覆層で被覆されたガラスであるとき、金属酸化物は元素の周期表の第４，６，８，９、及び１４欄の一つに属する元素であることが好ましい。特に、金属酸化物は、Ｆｅ，Ｒｕ，Ｏｓ，Ｃｏ，Ｒｈ，Ｉｒ，Ｃｒ，Ｍｏ，Ｗ，Ｔｉ，Ｚｒ，Ｈｆ，Ｃ，Ｓｉ，Ｇｅ，Ｓｎ及びＰｂ酸化物から選択されることが好ましい。
【００１４】
本発明による緑化壁の一つの変形例によれば、金属酸化物の被覆層は硬い熱分解被覆層である。かかる被覆層は、製造時に熱いガラスのリボン上、又は溶融錫の浴上にこのガラスを浮かべるためのタンクにおける溶融ガラスの表面上（「フロート」法）の一種以上の金属酸化物のスプレー又は化学蒸着（ＣＶＤ）の技術によって得られることができる。
【００１５】
本発明による緑化壁の一つの実施形態によれば、ガラスシートの被覆は金属酸化物の単一被覆層のみからなることができる。かかる単一の被覆層は例えばＦｅ，Ｃｏ、及びＣｒ酸化物を含む。変形例として、単一被覆層はＴｉ酸化物を含むことができる。
【００１６】
緑化壁の別の実施形態によれば、ガラスシートの被覆は金属酸化物の少なくとも二つの被覆層からなることもできる。この場合において、良好な結果を与える被覆は二つの重ねられた被覆層からなり、第一のものはＳｉ酸化物又はＳｉオキシカーバイドの下塗り被覆層からなり、第二のものはＳｎ酸化物の被覆層からなる。好ましくは、第二の被覆層では、Ｓｎ酸化物はＦ又はＳｂ原子によってドープされる。
【００１７】
本発明はまた、実質的に垂直な壁に固定するためにつる性植物の節を促すための方法に関し、それによれば、植物は、本発明による緑化壁に従った少なくとも一つの被覆層を被覆されたガラス又は模様付きガラスの表面を持つ壁のベースに隣接した土壌にそれらの根を埋めるように整列され、植物の根及び／又は葉は水及び栄養素を与えられ、照明は、光合成によって前記植物の成長を可能にするのに十分な可視光によって与えられている。
【００１８】
この方法では、用語は、本発明による緑化壁のために上で定義された同一の用語と同じ定義を持つ。
【００１９】
本発明は、その範囲を限定することを意図せずに、本発明をより明確に示すこと以外の目的を持たない以下の実施例によって記載されるだろう。
【図面の簡単な説明】
【００２０】
本発明の他の特徴及び利点は、簡単に示されかつ限定されない実施例によって与えられる、好ましい実施形態の以下の記載を読めば明瞭に表われるだろう。
【図１】図１は、分泌物を有する節の数と視感透過率の間の相関関係を示す曲線を示す。
【発明を実施するための形態】
【００２１】
２１ｃｍ×２９．５ｃｍ（Ａ４フォーマット）の平坦で平面のガラスの様々なパネルに対するつる性植物の付着のための試験が実施された。
【００２２】
これを行なうために、苗床業者から入手したＦｉｃｕｓ  Ｐｕｍｉｌａ（Ｌ．）植物を、以下の条件下で空調管理された部屋に置いた：
・昼間温度：２０℃；
・夜間温度：１８℃；
・相対湿度：７０％；
・１１０μｍｏｌ．ｍ−２．ｓ−１の強度下で蛍光管によって照明；
・照明時間：１６時間／日；
・生息環境：園芸堆肥；
・個々の植物容器：直径１０ｃｍの植木鉢。
【００２３】
各植物は１０日間の昼／夜の照明サイクルで規則的に散水された。次いで、蒸留水で洗浄されたＡ４サイズのガラスパネルが金属フレーム上に置かれ、一つのパネルが各植物の向かい側になるようにし、植木鉢あたりかつパネルあたり３つの茎が元気を保てるように予め寸法決定された。茎は、若枝の下の茎の上端に位置される二つの葉の付着点の高さで艶消透明接着紙によってガラスパネルに付着された。
【００２４】
植物は成長したままにし、３５日間にわたって、昼／夜の照明サイクル及び堆肥生息環境の規則的な散水に供した。
【００２５】
Ｆｉｃｕｓ  ｐｕｍｉｌａ（Ｌ．）植物の付着は、特定の数の特性を測定又は評価することによって成長試験の終わりに検査された：
・植物屈性（定性的な評価）；
・分泌物を有する節の集計；
・茎あたりの分泌物を有する節の集計；
・茎あたりの固定された節の集計；
・分泌表面積；
・接着強度。
【００２６】
使用された様々なタイプのガラスパネルは以下の通りであった：
・非着色の、印刷された模様付きガラス；
・模様付きガラス；
・Ｆｅ，Ｃｏ、及びＣｒの酸化物を含む硬い被覆層で被覆されたガラス；
・酸化チタンを含む硬い被覆層で被覆されたガラス；
・フッ素をドープした酸化錫を含む硬い被覆層で被覆されたガラス；
・酸化アルミニウム、酸化銅、酸化亜鉛、酸化錫、酸化銀の混入によって化学的に変性された表面を有するガラス；
・鉄金属、ニッケル金属、及びクロム金属に基づいた非酸化合金の金属被覆層で被覆された模様付きガラス。
【００２７】
１．植物屈性
茎がパネルから離れて少し進んだ後であっても、ある植物はガラスパネルの表面によって引き寄せられることが定性的に気づかれた。茎は、茎が付着するガラス表面に向かって戻る間に湾曲したり成長したりすることが観察された。
【００２８】
予期せぬことに、茎屈性現象を起こすのは６４％未満の４ｍｍ厚のガラス下の視感透過率（光源Ｄ６５，２°の観察角）を持つパネルである。この場合において、いったん茎がガラスパネルに付着したら、それらはもはやそれらの続く成長時に前記パネルから離れて進むことはない。
【００２９】
２．分泌物を有する節の数
各茎及び各タイプのガラス支持体について、ガラスの表面と接触し、かつ付着樹脂を分泌した節の数を、それらがガラスパネルの表面に固定されているかどうかに関わらず、検出し、数えた。
【００３０】
同じタイプのガラスからなるパネルについて得られた平均値が以下の表１に報告される。
【００３１】
表１  分泌物を生じた節
2013526838.tif 000003
【００３２】
支持体パネルのために使用されたガラスは２つのグループに分類された。即ち、
ａ）「光学」群
・Ｏｐ１：鉄、クロム及びコバルト酸化物を含む硬い被覆層で被覆された、鉄灰色の外観を有し、全体として薄い灰色を有するガラス；
・Ｏｐ２：酸化チタンを含む硬い被覆層で被覆された、銀灰色の外観を有するガラス；
・Ｏｐ３：金属性の緑色の外観を有し、全体として緑色に着色され、Ｏｐ１ガラスと同じ硬い被覆層で覆われたガラス；
・Ｏｐ４：クリアな金属性の外観を有し、全体として着色されず、Ｏｐ１ガラスと同じ硬い被覆層で覆われたガラス；
・Ｏｐ５：灰色の外観を有し、全体として着色され、被覆層を持たないガラス；
・Ｏｐ６：光沢のある銀色の外観を有し、全体として着色されず、Ｏｐ２ガラスと同じ硬い被覆層で覆われたガラス。
【００３３】
ｂ）「化学」群
・Ｃｈ１：金属性の外観を有し、全体として着色されず、Ｆｅ−Ｎｉ−Ｃｒステンレス鋼３０ｎｍ厚の被覆層で覆われた、「ガレット（ｇａｌｅｔｔｅ）」パターンで印刷された模様付きガラス；
・Ｃｈ２：鉄灰色の外観を有し、Ｃｈ１ガラスと同一のパターンで印刷され、ＴｉＯ２を含む硬い被覆層でカバーされた、模様付きの非着色ガラス；
・Ｃｈ３：被覆されていないクリアなガラス；
・Ｃｈ４：被覆層を持たず、サンドブラスト加工による艶消処理を受けた、「ガレット」パターンで印刷された模様付きガラス；
・Ｃｈ５：表面がＣｕ＋イオン拡散によって変性されたガラス；
・Ｃｈ６：フッ化水素酸ベースの食塩水によって片面を化学的に模様付けされたガラス。
【００３４】
使用されたパネルの視感透過率ＬＴのレベルもまた、測定された（光源Ｄ６５，４ｍｍ厚のガラスの下で２°の観察角）。結果は以下の通りである：
2013526838.tif 000004
【００３５】
図面では、茎あたりの分泌物を有する節の数がガラス支持体パネルの視感透過率レベルと相対的に十分に逆相関することが観察される。このレベルが高いほど、分泌物を有する節が少なくなる。
【図１】
2013526838.tif 000005
【国際調査報告】
2013526838.tif 000006
2013526838.tif 000007
2013526838.tif 000008
2013526838.tif 000009